(57)【要約】【課題】安価で誰でもが手軽に使用でき、戸外へ集積したゴミ袋が、とくに烏や猫及び犬によって荒らされるのを有効に防止することのできる、鳥獣公害防止装置を提供する。【解決手段】折畳展開可能に連結され、展開時にリング状の囲いを形成でき、この囲いの内側と外側を仕切る適宜高さを持つ複数枚の板状の柵構成部材と、この各柵構成部材の上端部左右方向に取り付けられた烏や猫のような鳥獣がつかまった時に回転する鳥獣のつかまり防止手段とで構成する。前記柵構成部材は、扉部と基板部と連結板部とで構成したり、少なくとも一箇所或は前記扉部の部分は分離可能に構成することができる。さらに前記つかまり手段は、前記柵構成部材の上端部左右に該上端部との間に適宜間隔を空けて差し渡された支持部材と、この支持部材に回転自在に取り付けた回転部材とで構成することができる。【選択図】　　　　　図１
2004033120.tif 000002
【特許請求の範囲】
【請求項１】
折畳展開可能に連結され、展開時にリング状の囲いを形成でき、この囲いの内側と外側を仕切る適宜高さを持つ複数枚の板状の柵構成部材と、この各柵構成部材の上端部左右方向に取り付けられた烏や猫のような鳥獣がつかまった時に回転する鳥獣のつかまり防止手段とで構成したことを特徴とする、鳥獣公害防止装置。
【請求項２】
前記柵構成部材は、扉部と基板部と連結板部とで構成されていることを特徴とする、請求項１に記載の鳥獣公害防止装置。
【請求項３】
前記柵構成部材は少なくとも一箇所或は前記扉部の部分は分離可能に構成されていることを特徴とする、請求項１と２のいずれかに記載の鳥獣公害防止装置。
【請求項４】
前記柵構成部材の分離可能に構成したものには、キャスターが取り付けられていることを特徴とする、請求項３に記載の鳥獣公害防止装置。
【請求項５】
前記つかまり手段は、前記柵構成部材の上端部左右に該上端部との間に適宜間隔を空けて差し渡された支持部材と、この支持部材に回転自在に取り付けた回転部材とで構成したことを特徴とする、請求項１に記載の鳥獣公害防止装置。
【請求項６】
前記支持部材は複数段に渡って設けられており、各支持部材に回転自在に回転部材が取り付けられていることを特徴とする、請求項５に記載の鳥獣公害防止装置。
【発明の詳細な説明】
【０００１】
【発明の属する技術分野】
この発明は、清掃車で回収してもらうために戸外へ出した生ゴミを入れたゴミ袋が、とくに烏や犬猫のような鳥獣によって荒らされるを防止できる、鳥獣公害防止装置に関する。
【０００２】
【従来の技術】
近年、食物が豊富にあることから、街中を餌場所とする烏が増え、さまざまな公害が発生するようになって来ている。そんな中で、清掃車に回収してもらうために住民が戸外へ出したとくに生ゴミを入れたゴミ袋を烏が破り、中味を食い散らして回りを汚す公害は、清掃に従事する作業員やとくにゴミ袋の集積場所の近くの住民にとっては甚だ迷惑なこととなっており、その防止対策が強く望まれているところである。
【０００３】
この戸外へ出した生ゴミ入りのゴミ袋が破られて中味が食い散らされるのは、烏以外にも、とくに野良猫や犬によってもなされ、迷惑を被っている。
【０００４】
【発明が解決しようとする課題】
上述した鳥獣公害を防止するために、集積したゴミ袋の上をシートで覆うことが考えられるが、烏や猫等の鳥獣はシートの端から中へもぐり込んでしまう場合をしばしば生じ有効な防止手段とはなっていない。
【０００５】
屋根付きの集積小屋を設けることは、一つの効果的な防止方法であるが、費用がかかり、街中のどこにでもこのような集積小屋を作るスペースがあるわけではないので、普及性の点では今ひとつである。
【０００６】
この発明の目的は、安価で誰でもが手軽に使用でき、戸外へ集積したゴミ袋が、とくに烏や猫及び犬によって荒らされるのを有効に防止することのできる、鳥獣公害防止装置を提供せんとするにある。
【０００７】
【課題を解決するための手段】
上述した目的を達成するためにこの発明は、折畳展開可能に連結され、展開時にリング状の囲いを形成できる適宜高さを持つ複数枚の板状の柵構成部材と、この各柵構成部材の上端部左右方向に取り付けられた烏や猫のような鳥獣がつかまった時に回転する鳥獣のつかまり防止手段とで構成したことを特徴とする。
【０００８】
その際にこの発明は、前記柵構成部材を、扉部と基板部と連結板部とで構成することができる。
【０００９】
さらにこの発明は、前記柵構成部材を少なくとも一箇所或は前記扉部の部分で分離可能に構成することができる。
【００１０】
そして、前記柵構成部材の分離可能に構成したものには、キャスターを取り付けることができる。
【００１１】
この発明はさらに、前記つかまり手段を、前記柵構成部材の上端部左右に該上端部との間に適宜間隔を空けて差し渡された支持部材と、この支持部材に回転自在に取り付けた回転部材とで構成することができる。
【００１２】
その際に、前記支持部材を複数段に渡って設け、各支持部材に回転自在に回転部材を取り付けることができる。
【００１３】
【発明の実施の形態】
以下にこの発明の一実施の形態を図面に基づいて詳細に説明する。図１乃至図３において、指示記号１は扉部２，２、基板部３、及び複数枚の連結板部４，４…から成る柵構成部材である。柵構成部材１は、扉部２，２同士を除いて互いにヒンジ５…によってその上下部を連結することにより、扉部２，２、基板部３、及び複数の連結板部４…で一つの囲いを形成することができるように構成されている。各柵構成部材１を構成する扉部２，２、基板部３、及び複数の連結板部４…は全て板状を呈しており、扉部２，２は連結板部４の２枚分の幅を有し、基板部３は連結板部４の４枚分の幅を有しているが、幅はこのものに限定されない。扉部２，２と基板部３を全て連結板部４と同じ幅にしても良い。
【００１４】
柵構成部材１は木製であっても良いが、実施例のものは全て合成樹脂性であり、軽くて持ち運びや取り扱いを容易にし、かつ風を通すようにするため、多数の小孔２ａ…，３ａ…，４ａ…が設けられている。各柵構成部材１は、つづら折りに折り畳むことができるように、互い違いにヒンジ５で連結されており、とくに図１に示したように、基板部３の上に連結板部４を左右より２枚ずつ折り畳んで行き、その上に扉部２，２を重ね合せてコンパクトにまとめて持ち運びや収納が出来るようになっている。
【００１５】
指示記号８…は烏や猫のつかまり防止手段を示す。図示したようにこのつかまり防止手段８は、各柵構成部材１を構成する扉部２，２、基板部３、及び連結板部４…のそれぞれの上端左右に取り付けられた、取付部６ａ，６ａ・７ａ，７ａと支持バー部６ｂ，７ｂを有する略コの字形状を呈した複数かつ大小の支持部材６，７と、この各支持部材６，７の各支持バー部６ｂ，７ｂに回転自在に取り付けられた長筒状の回転部材９ａ，９ｂとで構成されている。これら大小の支持部材６，７は、上下方向に適宜間隔を空けて重なっており、小型の支持部材７は大型の支持部材６の内側に位置している。扉部２，２の開放端には、該扉部２，２同士を留める係止具１０が取り付けられると共に、下端部にキャスター１１，１１が取り付けられている。
【００１６】
尚、実施の形態のもので、各柵構成部材の材厚は１６ｍｍ程度であり、連結板部４…の幅は１０５ｍｍ、高さは約８００ｍｍ程度であるが、このものに限定されない。扉部２，２の幅は連結板部４の２枚分の幅があり、基板部は連結板部４の４枚分の幅があるが、このものに限定されない。全て柵構成部材１と同じ幅のもので構成しても良い。また、図面では扉部２，２とこの扉部２，２に連結された２枚ずつの連結板部４…の高さは若干低いが、このものに限定されない。全て同じ高さであっても良い。
【００１７】
したがって、生ゴミのゴミ袋の集積場所に上述した鳥獣公害防止装置Ａを持って行き、図７（ａ）、（ｂ）、（ｃ）、（ｄ）、及び（ｅ）に示したように、折り畳まれている各柵構成部材１を開いて扉部２，２同士を係止具１０で連結して適宜形状の囲いＢを作り、その中に生ゴミのゴミ袋Ｃ，Ｃ…を置くか、或は予めゴミ袋Ｃ，Ｃ…をゴミ袋の集積場所に置いてその周りを開いた柵構成部材１で囲んで扉２，２同士を係止具１０で連結して囲いＢを作るようにすると、囲いＢの中にゴミ袋Ｃが置かれた状態になる。
【００１８】
図４はつかまり防止手段の他の実施の形態を示し、このつかまり防止手段１５の下段の支持部材１６は、先の実施の形態のものと同じであるが、上段の支持部材１７は、若干外側へ曲げられている。このように構成すると、烏や猫がよりこの上段の支持部材７へつかまろうとすることになり、つかまると回転部材１８ａ，１８ｂが回転することから、囲いＢの中へより侵入しにくくなるという利点がある。
【００１９】
尚、囲いＢの形状は、丸、三角、四角等さまざまな形状とすることができる。囲いＢの大小もゴミ袋の数に応じて大きくしたり、小さくしたりすることができる。
【００２０】
このような囲いＢに烏が近づくと、烏の習性から、直接囲いＢの中へ飛び降りようとせず、まずつかまり防止手段８のどれかの回転部材９ａ，９ｂ・１８ａ，１８ｂにとまろうとするが、とくに図５に示したように、つかまった瞬間に回転部材９ａ，９ｂ・１８ａ，１８ｂが回転するので、驚くことと、姿勢を安定させることができないことから、烏は囲いＢの中へ侵入することができないことになる。
【００２１】
烏は用心深い習性を有することから、上方が開いていても、囲いが余り大きくない場合には、近くに飛び移れる個所がなかったり、足場の悪く飛び上がれないところ、羽根を充分に広げられないところであったりすると、直に飛び込むことは通常ないので、囲いＢ程度の大きさの囲いの中へ直に飛び込むことはまれである。
【００２２】
猫の場合は、柵構成部材１に飛びついたり、背伸びをして、とくに図６に示したように、つかまり防止手段８の回転部材９ａ，９ｂ・１８ａ，１８ｂに前脚の爪をひっかけてよじ登ろうとするが、回転部材９が回転するため爪が掛けられず、やはり囲いＢの中へ侵入することができないものである。このことは犬の場合も同じである。
【００２３】
尚、つかまり防止手段８の支持部材６，７は１段であっても良く、回転部材９ａ，９ｂ・１８ａ，１８ｂは実施の形態のもののように１本の筒体としても良いが、これを複数の分割したリング状のものとしても良い。また、支持部材６，７の長さは全て同じ長さのものとしても良いが、柵構成部材の幅の違うものは、その幅に応じた長さのものとすることができる。さらに、上段と下段の支持バー部は独立に構成しなくとも、一対の取付部に上下２段に渡って設けても良い。
【００２４】
【発明の効果】
この発明は以上のように構成したので、次のような効果を奏し得る。
【００２５】
請求項１のように構成すると、大小さまざまな形状の囲いを作ることができ、ゴミ袋の量に応じた囲いを形成することができた上で、唯一の侵入径路である囲いの上部を構成する柵構成部材の上端部には、つかまり防止手段を設けたので、鳥獣の中でも烏、猫、及び犬が囲いの中へ侵入してゴミ袋を破って内容物を散乱させることを有効に防止することができるものである。
【００２６】
請求項２のように構成すると、出入口が解り易い上に、収納時の折り畳みが容易となるという効果を奏し得る。
【００２７】
請求項３のように構成すると、請求項１と同じ効果を奏した上で、ゴミ袋の出し入れが容易となるという効果を奏し得る。
【００２８】
請求項４のように構成すると、キャスターによって囲いの形成が容易となるという利点がある。
【００２９】
請求項５と６のように構成すると、烏は回転部材によって囲いを形成する柵構成部材の上端にとまることができないことから、囲いの中へ侵入するのを有効に防止することができる上に、猫や犬は回転部材によって柵構成部材の上端に爪をかけることができないことから、柵構成部材を越えて囲の内部へ侵入することを有効に防止することができるものである。
【図面の簡単な説明】
【図１】この発明に係る鳥獣公害防止装置を折り畳んで見た斜視図である。
【図２】図１に示した鳥獣公害防止装置を少し開いて見た平面図である。
【図３】図１に示した鳥獣公害防止装置のつかまり防止手段の部分の拡大斜視図である。
【図４】図１に示した鳥獣公害防止装置のつかまり防止手段の他の実施の形態を示す部分の拡大側断面図である。
【図５】図１に示した鳥獣公害防止装置の使用状態を示す説明図である。
【図６】同じく図１に示した鳥獣公害防止装置の他の使用状態を示す説明図である。
【図７（ａ）】図１に示した鳥獣公害防止装置の使用方法を説明する説明図である。
【図７（ｂ）】図１に示した鳥獣公害防止装置の使用方法を説明する説明図である。
【図７（ｃ）】図１に示した鳥獣公害防止装置の使用方法を説明する説明図である。
【図７（ｄ）】図１に示した鳥獣公害防止装置の使用方法を説明する説明図である。
【図７（ｅ）】図１に示した鳥獣公害防止装置の使用方法を説明する説明図である。
【符号の説明】
Ａ　鳥獣公害防止装置
Ｂ　囲い
Ｃ　ゴミ袋
１　柵構成部材
２　扉部
３　基板部
４　連結板部
５　ヒンジ
６，１７　支持部材（大型）
７，１６　支持部材（小型）
８，１５　つかまり防止手段
９ａ，９ｂ　回転部材
１８ａ，１８ｂ　回転部材
【図１】
2004033120.tif 000003
【図２】
2004033120.tif 000004
【図３】
2004033120.tif 000005
【図４】
2004033120.tif 000006
【図５】
2004033120.tif 000007
【図６】
2004033120.tif 000008
【図７（ａ）】
2004033120.tif 000009
【図７（ｂ）】
2004033120.tif 000010
【図７（ｃ）】
2004033120.tif 000011
【図７（ｄ）】
2004033120.tif 000012
【図７（ｅ）】
2004033120.tif 000013
【手続補正書】
【提出日】平成14年8月2日(2002.8.2)
【手続補正１】
【補正対象書類名】図面
【補正対象項目名】全図
【補正方法】変更
【補正の内容】
【図１】
2004033120.tif 000014
【図２】
2004033120.tif 000015
【図３】
2004033120.tif 000016
【図４】
2004033120.tif 000017
【図５】
2004033120.tif 000018
【図６】
2004033120.tif 000019
【図７（ａ）】
2004033120.tif 000020
【図７（ｂ）】
2004033120.tif 000021
【図７（ｃ）】
2004033120.tif 000022
【図７（ｄ）】
2004033120.tif 000023
【図７（ｅ）】
2004033120.tif 000024